【手続補正書】
【提出日】平成17年3月22日(2005.3.22)
【手続補正１】
【補正対象書類名】明細書
【補正対象項目名】特許請求の範囲
【補正方法】変更
【補正の内容】
【特許請求の範囲】
【請求項１】
情報処理装置群、及び印刷装置群とデータ通信が可能な印刷管理サーバ装置であって、
前記情報処理装置群のうち第１の情報処理装置から印刷対象データを受信すると共に、当該印刷対象データに基づいた印刷結果を出力する印刷装置を前記印刷装置群から指定する指定情報を前記第１の情報処理装置から受信する受信手段と、
当該受信手段が受信した印刷対象データを、当該指定情報が指定する印刷装置が出力可能な印刷データに変換する変換手段と、
当該印刷データを、当該指定情報が指定する印刷装置に送信する第１の送信手段と、
前記第１の情報処理装置、もしくは前記情報処理装置群のうち第２の情報処理装置から、前記第１の送信手段が送信した印刷データのうちの何れかの印刷データの印刷を指示された場合、当該印刷指示の対象となる印刷データを保持する印刷装置を前記印刷装置群から特定し、特定した印刷装置に対する印刷の制御を行う印刷制御手段と
を備えることを特徴とする印刷管理サーバ装置。
【請求項２】
更に、前記受信手段が受信した印刷対象データを前記印刷装置群の夫々が出力可能な形式に変換するためのドライバを、夫々の印刷装置毎に保持するドライバ保持手段を備え、
前記変換手段は、当該ドライバ保持手段が保持するドライバ群のうち、前記受信手段が受信した前記指定情報が指定する印刷装置に対応するドライバを用いて、前記受信手段が受信した印刷対象データを前記指定情報が指定する印刷装置が出力可能な印刷データに変換することを特徴とする請求項１に記載の印刷管理サーバ装置。
【請求項３】
更に、前記第１の送信手段が送信した印刷データを特定する印刷データ特定情報と当該印刷データを送信した先の印刷装置を特定する印刷装置特定情報とを関連づけて保持する印刷データ・印刷装置特定情報保持手段を備え、
前記第１の送信手段が送信した印刷データのうちの何れかの印刷データの印刷を指示された場合、前記印刷制御手段は、前記印刷データ・印刷装置特定情報保持手段が保持する情報群を参照して、当該印刷指示の対象となる印刷データの印刷データ特定情報に対応する印刷装置特定情報を特定し、当該印刷装置特定情報で特定される印刷装置に対する印刷の制御を行うことを特徴とする請求項１に記載の印刷管理サーバ装置。
【請求項４】
更に、
前記第１の送信手段が送信した印刷データの印刷を行うために入力すべきパスワードを各印刷データ毎に保持する保持手段と、
前記第１の情報処理装置、もしくは第２の情報処理装置から、前記印刷指示の対象となる印刷データの印刷を行うために入力された第１のパスワードを受信するパスワード受信手段と、
当該第１のパスワードと、前記保持手段が保持するパスワード群のうち、前記注目印刷データに対応する第２のパスワードとの正誤を判断するパスワード正誤判断手段とを備え、
前記印刷制御手段は、当該正誤判断手段により、前記第１のパスワードと前記第２のパスワードとが一致していると判断された場合のみ、前記印刷指示の対象となる印刷データを保持する印刷装置に対する印刷を指示することを特徴とする請求項１乃至３の何れか１項に記載の印刷管理サーバ装置。
【請求項５】
更に、
前記第１の情報処理装置に対して、前記印刷装置に関する情報を表示するための画面情報を送信する第２の送信手段を備えることを特徴とする請求項１乃至４の何れか１項に記載の印刷管理サーバ。
【請求項６】
前記印刷制御手段は、前記第１の情報処理装置もしくは第２の情報処理装置に対して、印刷の設定を行うための画面を提示し、
当該情報処理装置より受信した印刷設定に従った印刷を行わせるよう印刷装置に対する印刷の制御を行うことを特徴とする請求項１乃至５の何れか１項に記載の印刷管理サーバ。
【請求項７】
情報処理装置群、及び印刷装置群とデータ通信が可能な印刷管理サーバ装置が行う印刷管理方法であって、
前記情報処理装置群のうち第１の情報処理装置から印刷対象データを受信すると共に、当該印刷対象データに基づいた印刷結果を出力する印刷装置を前記印刷装置群から指定する指定情報を前記第１の情報処理装置から受信する受信工程と、
当該受信工程で受信した印刷対象データを、当該指定情報が指定する印刷装置が出力可能な印刷データに変換する変換工程と、
当該印刷データを、当該指定情報が指定する印刷装置に送信する送信工程と、
前記第１の情報処理装置、もしくは前記情報処理装置群のうち第２の情報処理装置から、前記送信工程で送信した印刷データのうちの何れかの印刷データの印刷を指示された場合、当該印刷指示の対象となる印刷データを保持する印刷装置を前記印刷装置群から特定し、特定した印刷装置に対する印刷の制御を行う印刷制御工程と
を備えることを特徴とする印刷管理方法。
【請求項８】
コンピュータに請求項７に記載の印刷管理方法を実行させることを特徴とするプログラム。
【手続補正２】
【補正対象書類名】明細書
【補正対象項目名】０００５
【補正方法】変更
【補正の内容】
【０００５】
【特許文献１】特開２００２−５５９１１号公報
【特許文献２】特開２００２−２６８８５３号公報
【手続補正３】
【補正対象書類名】明細書
【補正対象項目名】０００８
【補正方法】変更
【補正の内容】
【０００８】
しかし、ＡＳＰは常に他の多数のモバイル端末からのジョブを受け付けているので、出力端末から印刷指示が入力された毎に、印刷ファイルの変換処理、変換後のデータの送信処理を行っていたのであれば、印刷を行うまでに要する時間がかかってしまうといった問題がある。
【手続補正４】
【補正対象書類名】明細書
【補正対象項目名】００１１
【補正方法】変更
【補正の内容】
【００１１】
すなわち、情報処理装置群、及び印刷装置群とデータ通信が可能な印刷管理サーバ装置であって、
前記情報処理装置群のうち第１の情報処理装置から印刷対象データを受信すると共に、当該印刷対象データに基づいた印刷結果を出力する印刷装置を前記印刷装置群から指定する指定情報を前記第１の情報処理装置から受信する受信手段と、
当該受信手段が受信した印刷対象データを、当該指定情報が指定する印刷装置が出力可能な印刷データに変換する変換手段と、
当該印刷データを、当該指定情報が指定する印刷装置に送信する第１の送信手段と、
前記第１の情報処理装置、もしくは前記情報処理装置群のうち第２の情報処理装置から、前記第１の送信手段が送信した印刷データのうちの何れかの印刷データの印刷を指示された場合、当該印刷指示の対象となる印刷データを保持する印刷装置を前記印刷装置群から特定し、特定した印刷装置に対する印刷の制御を行う印刷制御手段と
を備えることを特徴とする。
【手続補正５】
【補正対象書類名】明細書
【補正対象項目名】００１３
【補正方法】変更
【補正の内容】
【００１３】
すなわち、情報処理装置群、及び印刷装置群とデータ通信が可能な印刷管理サーバ装置が行う印刷管理方法であって、
前記情報処理装置群のうち第１の情報処理装置から印刷対象データを受信すると共に、当該印刷対象データに基づいた印刷結果を出力する印刷装置を前記印刷装置群から指定する指定情報を前記第１の情報処理装置から受信する受信工程と、
当該受信工程で受信した印刷対象データを、当該指定情報が指定する印刷装置が出力可能な印刷データに変換する変換工程と、
当該印刷データを、当該指定情報が指定する印刷装置に送信する送信工程と、
前記第１の情報処理装置、もしくは前記情報処理装置群のうち第２の情報処理装置から、前記送信工程で送信した印刷データのうちの何れかの印刷データの印刷を指示された場合、当該印刷指示の対象となる印刷データを保持する印刷装置を前記印刷装置群から特定し、特定した印刷装置に対する印刷の制御を行う印刷制御工程と
を備えることを特徴とする。